(57)【特許請求の範囲】
【請求項１】
放射性廃棄物を収容すべく円筒状をした緩衝材を地下の処分場に搬送した後、地層処分するようにした処分方法において、上記処分場の主要坑道にこれより略水平方向に延びる処分坑道を掘削形成し、上記処分場内の緩衝材を転がしながら上記主要坑道を介して上記処分坑道内に搬送した後、この緩衝材をそのまま処分坑道の奥から順次横置きの状態で入り口付近まで並べ、その後、この処分坑道内を埋め戻して地層処分するようにしたことを特徴とする放射性廃棄物処分用緩衝材の地層処分方法。
【請求項２】
上記緩衝材間にスペーサを設けたことを特徴とする請求項１記載の放射性廃棄物処分用緩衝材の地層処分方法。
【発明の詳細な説明】
【０００１】
【発明の属する技術分野】
本発明は、高レベルの放射性廃棄物を地層処分する際に、この放射性廃棄物を囲繞するようにその周囲に設けられる円筒状緩衝材の地層処分方法に関するものである。
【０００２】
【従来の技術】
一般に、核燃料再処理施設などから出た高レベル放射性廃液は、処分の際に液体のままでは取り扱いに困難なことから、ガラス固化体として安定化処理した後、地中深く地層処分することが計画されている。
【０００３】
すなわち、この高レベル放射性廃液は、先ず、地上の処分施設等でガラス原料と共に高温で溶かし合わされた後、ステンレス製のキャニスター内に入れられてガラス固化体として安定化される。次に、このガラス固化体を収容したキャニスターは、高温の熱を発生することから、例えば地上に建設されたガラス固化体貯蔵設備に搬送され、ここで４０〜５０年程度自然冷却された後、オーバーパックと称される厚肉鋼板製の密閉容器内に密閉収容され、その後、図５に示すように地上施設ｆから縦坑ｃを介して地下数百〜千数百ｍの深さの岩盤中に建設された処分坑道Ｔに搬送される。
【０００４】
そして、図６に示すように、この地下の処分坑道Ｔに搬送されたオーバーパック等の放射性廃棄物ａは、その後、その処分場Ａから延びる処分坑道Ｔに搬送された後、この処分坑道Ｔの底部に形成された複数の処分孔ｂ，ｂ…にそれぞれ一つずつ収容された後、この処分孔ｂ内に長期間地層処分されるようになっている。
【０００５】
また、図示するように、この放射性廃棄物ａを各処分孔ｂ，ｂ…に収容するに際しては、予めこの放射性廃棄物ａ周囲にベントナイト粉等を押し固めてなる円筒状の緩衝材１を設けて放射性廃棄物ａに対する地下水や岩盤圧の影響を低減するようになっている。
【０００６】
【発明が解決しようとする課題】
ところで、上述したような埋設処分方法では処分坑道Ｔの底部に多数の処分孔ｂ，ｂ…を掘削形成しなければならないため、処分に要する工期が長期化し、処分に対する作業効率が悪い。しかも、これらに各処分孔ｂ，ｂ…に放射性廃棄物ａを収容した後は、この処分坑道Ｔが不要となり、その都度埋め戻す必要があることから、処分坑道Ｔの容積が無駄になり、放射性廃棄物ａの処分効率が悪いといった欠点がある。さらに、この緩衝材１は一体当たり、数トン〜十数トンの大重量物となるため、この搬送作業及び各処分孔ｂには多大な労力が必要とされる。
【０００７】
そこで、本発明はこのような課題を有効に解決するために案出されたものであり、その目的は、処分効率及び作業効率を大幅に向上させることができる新規な放射性廃棄物処分用緩衝材の地層処分方法を提供するものである。
【０００８】
【課題を解決するための手段】
上記課題を解決するために第一の発明は、放射性廃棄物を収容すべく円筒状をした緩衝材を地下の処分場に搬送した後、地層処分するようにした処分方法において、上記処分場の主要坑道に、これより略水平方向に延びる処分坑道を掘削形成し、上記処分場内の緩衝材を転がしながら上記主要坑道を介して上記処分坑道内に搬送した後、この緩衝材をそのまま処分坑道の奥から順次横置きの状態で入り口付近まで並べ、その後、この処分坑道内を埋め戻して地層処分するようにしたものである。
【０００９】
これにより、従来考えられているような、処分坑道に処分孔を掘削する必要がなくなり、緩衝材を処分する際の作業量を低減できる。また、処分坑道にそのまま緩衝材を配置して処分する。さらに、この緩衝材を横置きの状態で転がしながら搬送するため、搬送に要する労力を低減することもできる。
【００１０】
また、第二の発明は上記方法で緩衝材を処分する際に、各緩衝材間に断面燭台状のスペーサを介在させることにより、各緩衝材間に生ずる隙間がなくなり、緩衝材に加わる岩盤圧を均等にすることができる。
【００１３】
【発明の実施の形態】
次に、本発明を実施する好適一形態を添付図面を参照しながら説明する。
【００１４】
図１は第一の発明方法に係る地下処分施設の一部を示す平面図であり、図中Ａは地下数百ｍ〜千数百ｍに建設された処分場、Ｒはこの処分場Ａより水平方向に延びる主要坑道、Ｔ，Ｔ…はそれぞれこの主要坑道Ｒより略水平方向に掘削される袋小路状の処分坑道、図２，図３はそれぞれこの処分坑道Ｔを示す断面図である。
【００１５】
図示するように本発明の処分方法は、先ず処分場Ａ内にある円筒状の緩衝材１と断面略燭台状のスペーサ２をそれぞれ専用の搬送台車３，４によって主要坑道Ｒを介して交互に処分坑道Ｔに搬送し、そのまま処分坑道Ｔの奥から順次横置きの状態で交互に入り口付近まで並べる。
【００１６】
この時、図１及び図３（Ａ）（Ｂ）に示すように、緩衝材１はその外形が円柱状であることから、処分場Ａから処分坑道Ｔまでの床面を略水平かつ面一に形成すると共に寝かせた状態で搬送台車３により緩衝材１の一側面を押して転がしながら所定の位置に搬送することでその搬送作業を容易に行うことができる。
【００１７】
一方、断面略燭台状のスペーサ２は緩衝材１のように転がしながら搬送することが不可能であるため、例えば、図２（Ａ），（Ｂ）に示すように、スペーサ本体２ａの側面に挿入孔２ｂを幾つか形成し、この挿入孔２ｂに挿入する昇降部材４ａを有するフォークリフト式の搬送台車４によってスペーサ２を持ち上げながら走行することで所定の位置に搬送することができる。尚、この緩衝材１内には、予め処分場Ａ内において上述したオーバーパック等の放射性廃棄物ａを収容しておく。
【００１８】
そして、この処分坑道Ｔの横断面形状を緩衝材１の縦断面形状と相似形に形成すると共に、処分坑道Ｔの横断面積を緩衝材１の縦断面より僅かに大きく設定しておき、処分坑道Ｔの奥から緩衝材１が順次並列に並べられるように収容することで処分坑道Ｔが緩衝材１で充填されるような状態となる。また、上述したように緩衝材１はその外形が円柱状に形成されているため、これを並列に並べるとその処分坑道Ｔとの間に断面略３角形の空隙が発生して、岩盤圧が各緩衝材１に均等に加わらなくなる虞があるが、上述したように各緩衝材１の間に燭台状のスペーサ２を設けることにより、その空隙が塞がれて空隙がなくなり、各緩衝材１に加わる岩盤圧を均等にすることができる。尚、搬送の都合上、緩衝材１やスペーサ２の周囲にはある程度の隙間が生ずるが、この隙間には、後述する粉流体充填機械等を用い、ベントナイト粉やコンクリート又は土砂などの粉流体を流し込み充填することによって処分坑道Ｔ内を略完全に埋め戻すことができる。例えば、図４に示す粉流体供給装置Ｆによってこの緩衝材１の周囲（緩衝材１の上部及び側部）に形成される隙間に、緩衝材１と同材質のベントナイト粉、コンクリート、土砂などを流し込んでその隙間を充填して処分坑道Ｔ内を埋め戻すことになる。
【００１９】
このように本発明方法は、緩衝材１の搬送通路である処分坑道Ｔをそのまま緩衝材１を処分するための処分孔として利用したものであるため、従来考えられている処分方法に比べて緩衝材１の搬送効率及び処分効率を大幅に向上させることができる。しかも、上述したような処分孔を必要としないため、処分孔の掘削作業が不要となり、処分施設の建設期間の短縮化及び処分コストの低減も同時に達成できる。また、この緩衝材１は数トン〜数十トンの大重量物であるため、処分場Ａから処分坑道Ｔの先端部にかけて徐々に下るように傾斜面を形成すれば、搬送の際の緩衝材１の転がり抵抗も少なくなり、搬送作業がさらに容易になる。
【００２６】
本発明方法で用いるスペーサ２を、一体成形でなく、予め複数に分割したブロック体で形成しても良い。
【００２７】
【発明の効果】
以上要するに本発明によれば、緩衝材の搬送通路である処分坑道をそのまま緩衝材を処分するための処分孔として利用したものであるため、従来考えられている処分方法に比べて緩衝材の搬送効率及び処分効率を大幅に向上させることができる。しかも、上述したような処分孔を必要としないため、処分孔の掘削作業が不要となり、処分施設の建設期間の短縮化及び処分コストの低減も同時に達成できる等といった優れた効果を発揮することができる。
【図面の簡単な説明】
【図１】  本発明方法の実施の一形態を示す平面図である。
【図２】  図２（Ａ）は本発明方法に係る処分坑道の先端付近を示す縦断面図、図２（Ｂ）は本発明方法に係る処分坑道の先端付近を示す平面図である。
【図３】  図３（Ａ）は本発明方法に係る処分坑道の先端付近を示す縦断面図、図３（Ｂ）は本発明方法に係る処分坑道の先端付近を示す平面図である。
【図４】  処分坑道内に配置した緩衝材の隙間に粉流体を充填している状態を示す側面図である。
【図５】  放射性廃棄物を地層処分する際の処分施設の構成を示す概略図である。
【図６】  従来考えられている放射性廃棄物処分方法を示す説明図である。
【符号の説明】
１  緩衝材
２  スペーサ
３，４  搬送台車
５  ブロック体
Ａ  処分場
Ｒ  主要坑道
Ｔ  処分坑道
ａ  放射性廃棄物
【図１】
0003861391.tif 000002
【図２】
0003861391.tif 000003
【図３】
0003861391.tif 000004
【図４】
0003861391.tif 000005
【図５】
0003861391.tif 000006
【図６】
0003861391.tif 000007